(57)【特許請求の範囲】
【請求項１】
乳化作用を有する水溶性のアニオン性ポリマー及び香料を含有する乳化液が含浸されてなる硬質表面用ウエットシートであって、
前記乳化液は、２５℃における粘度が２０ｍＰａ・ｓ以上３００，０００Ｐａ・ｓ以下である水中油型のものであり、
前記ウエットシートは、該ウエットシートによって硬質表面を拭くことで、該ウエットシートから前記含浸された乳化液を該硬質表面に放出させた後、該硬質表面を洗い流さず、該乳化液及び該乳化液中の前記香料が該硬質表面に残留するように用いられるものであり、且つ硬質表面を拭いて３０分経過後に硬質表面が以下の評価に従う残香性を有するものである硬質表面用ウエットシート。
〔残香性の評価〕
硬質表面用ウエットシートを、花王（株）製の清掃道具であるクイックルワイパー（登録商標）のヘッド部に取り付け、２０℃、６５％ＲＨの部屋において、３０ｃｍ×３０ｃｍ四方のフローリング材（Ｐａｎａｓｏｎｉｃ電工製  ウッディＡ）上を３往復清拭する。清拭後にフローリングは水等で洗い流さない。清拭から３０分後において、フローリングから生じる香りの強さを４名のパネラーに評価させる。パネラーとフローリング材の距離は３０ｃｍとする。４名のパネラーの評価の平均をもって、評価結果とする。評価の平均は下記の数値基準から求め、３点以上である場合に残香性を有すると評価する。
６：強く匂う。
５：はっきりと匂う。
４：匂いが楽にわかる。
３：ほのかに匂う。
２：ごくかすかに匂う。
１：匂いを感じない。
【請求項２】
前記アニオン性ポリマーは、繰り返し単位としてアクリル酸若しくはメタクリル酸又はそれらの塩若しくはそれらのアルキルエステルを含むものである請求項１に記載の硬質表面用ウエットシート。
【請求項３】
前記乳化液は、前記アニオン性ポリマーを０．０１質量％以上２質量％以下含有し、前記香料を０．１質量％以上２質量％以下含有する請求項１又は２に記載の硬質表面用ウエットシート。
【請求項４】
前記アニオン性ポリマーが、架橋型アクリル酸／メタクリル酸アルキルエステルコポリマーである請求項１ないし３のいずれか一項に記載の硬質表面用ウエットシート。
【請求項５】
含浸される前記乳化液の割合は、基材シートの質量に対して１００質量％以上１０００質量％以下である請求項１ないし４のいずれか一項に記載の硬質表面用ウエットシート。
【発明の詳細な説明】
【技術分野】
【０００１】
本発明は、硬質表面を拭いて該硬質表面に芳香を付与するために用いられるウエットシートに関する。
【背景技術】
【０００２】
近年、香料を含有させた洗浄剤を用いて清浄にした洗浄対象物における香りの持続性を高めることが種々検討されている。例えば特許文献１においては、洗剤の水溶液で洗浄された表面に、残留フレグランスを付与するための洗濯洗剤が記載されている。この洗剤は、プロフレグラント化合物及び界面活性剤を含んでいる。プロフレグラント化合物とは、加水分解生成物が望ましいにおいを生じさせる化合物のことである。
【０００３】
特許文献２には、非イオン界面活性剤及び陰イオン界面活性剤並びに香料を含有する液体芳香洗浄組成物が記載されている。この組成物は水洗トイレの芳香洗浄剤として有用なものであると、同文献には記載されている。
【０００４】
特許文献３には、不織繊維の洗浄基材、及び香料組成物を含むマイクロカプセルを含み、表面洗浄に好適に用いられる洗浄ワイプが記載されている。この洗浄ワイプは、ハンドルを含む洗浄用具に取り付けられて床表面の洗浄に用いられる。
【先行技術文献】
【特許文献】
【０００５】
【特許文献１】特開平１１−５１３７４２号公報
【特許文献２】特開２００４−１８２９０２号公報
【特許文献３】特開２００８−５４５８４９号公報
【発明の概要】
【発明が解決しようとする課題】
【０００６】
特許文献１に記載の技術は、対象物に芳香を残留させるものではあるものの、衣料品の洗濯に用いられるものであり、硬質表面を対象とするものではない。特許文献２に記載の技術は、硬質表面の一種であるトイレを対象とするものではあるものの、洗浄剤は水で洗い流されてしまうので硬質表面に残留しない。特許文献３に記載の技術は、硬質表面の一種である床を対象とするものであり、洗浄剤は硬質表面に残留する。しかし、同文献に記載の技術によれば、香料をカプセル化することによって香料の残香性を向上させている。香料をカプセル化することは経済的に有利とは言えない。また同文献に記載の技術では、洗浄基材に含浸されている洗浄剤を効率よく硬質表面に移行させるためのこれと言った工夫はなされていないので、洗浄剤が洗浄基材から効率よく放出されない可能性がある。
【０００７】
したがって本発明の課題は、前述した従来技術が有する欠点を解消し得る洗浄剤を提供することにある。
【課題を解決するための手段】
【０００８】
本発明は、乳化作用を有する水溶性のアニオン性ポリマー及び香料を含有する乳化液が含浸されてなる硬質表面用ウエットシートであって、
前記ウエットシートは、該ウエットシートによって硬質表面を拭くことで、該ウエットシートから前記含浸された乳化液を該硬質表面に放出させた後、該硬質表面を洗い流さず、該乳化液及び該乳化液中の前記香料が該硬質表面に残留するように用いられるものである硬質表面用ウエットシートを提供するものである。
【発明の効果】
【０００９】
本発明によれば、ウエットシート中の香料を効率よく硬質表面に移行させることができ、かつ硬質表面の残香性が向上したウエットシートが提供される。
【発明を実施するための形態】
【００１０】
以下本発明を、その好ましい実施形態に基づき説明する。本発明のウエットシートは、基材シートに薬液が含浸されてなるものである。また本発明のウエットシートは、硬質表面を拭くために用いられるものである。硬質表面を拭くために用いられるウエットシートとしては、（イ）硬質表面を拭いて該硬質表面に薬液を付与した後、該硬質表面を洗い流さず、該薬液が該硬質表面に残留するように用いられるタイプのものと、（ロ）硬質表面を拭いて該硬質表面に薬液を付与した後、該硬質表面を洗い流し、該薬液を除去するタイプのものとがある。本発明のウエットシートは、前者の（イ）のタイプのものである。したがって、本発明のウエットシートを用いて硬質表面を拭いた後は、該硬質表面に付着した薬液から揮発成分が揮発して除去され、不揮発成分が該硬質表面に残留した状態となる。
【００１１】
本発明のウエットシートが、硬質表面を洗浄した後、該硬質表面を洗い流さないタイプのものであることを考慮すると、基材シートに含浸される薬液（後述する乳化液）の媒体としては、安全性及び経済性の点から水を用いることが好適である。
【００１２】
本発明のウエットシートは、基材シートに含浸された薬液を硬質表面に効率よく移行させることができる点に特徴の一つを有する。この目的のために、本発明においては、基材シートに含浸させる薬液として、乳化作用を有する水溶性のアニオン性ポリマー及び香料を含有する乳化液を用いている。この乳化液を用いると、後述する実施例において例証されるとおり、該乳化液が基材シートから効率的に放出されるようになる。香料は一般にそれ自体が油溶性であるか、又はオイルに溶解した状態で取り扱いがなされているので、該アニオン性ポリマーの作用によって該香料は乳化して、乳化液が生成する。
【００１３】
前記乳化液を用いる本発明のウエットシートは、硬質表面を拭いた後の該硬質表面に前記乳化液及び該乳化液中の香料が残留し、該香料の作用によって残香性が向上した点にも特徴の一つを有する。「乳化液中の香料が残留する」とは、例えば硬質表面を拭いて３０分〜６０分経過後に硬質表面が残香性を有することを示し、永遠に硬質表面に香料が留まる必要はない。また、残留する乳化液及び香料は、乳化液に配合した全ての成分又は配合した比率と同じである必要はなく、香料が残香性を発揮するように硬質表面に存在すれば残留していることを示す。硬質表面の残香性は、硬質表面を拭いてから、３０分以上維持されるのが好ましく、４５分以上が更に好ましく、６０分以上が一層好ましく、１２０分以上が特に好ましい。残香性については、例えば後述する「対象面の香りの強さ」の評価において、３点（ほのかに匂う）以上が好ましく、４点（匂いが楽にわかる）以上が一層好ましい。
【００１４】
残香性を向上させるためには、例えば液に配合する香料の量を多くすることが考えられる。しかし、液の媒体として例えば上述した水を用いる場合、香料の配合量を多くすると、香料は一般に油性の物質であることに起因して、香料を水中に分散させるために多量の界面活性剤を配合して乳化させる必要がある。本発明のウエットシートが、硬質表面を拭いた後、該硬質表面を洗い流さないタイプのものであることは上述したとおりなので、該液に多量の界面活性剤を配合することは、該液が残留した状態での硬質表面がべたつく等の観点から有利とは言えない。かかる課題を解決すべく本発明者が鋭意検討した結果、液の粘度を高める目的で一般に配合されている各種の増粘剤のうち、特定の増粘剤には、増粘効果を発現しつつ、香料を乳化させる働きがあることが判明した。そのような働きを有する増粘剤について本発明者が更に検討を重ねたところ、乳化作用を有する水溶性のアニオン性ポリマー（以下、単に「アニオン性ポリマー」とも言う。）を液に配合することが有利であることが判明した。また、このアニオン性ポリマーを液に配合することで、意外にも、基材シートから放出された液中の香料の含有量が向上することが判明した。更に、このアニオン性ポリマーを液に配合することで、乳化液の粘度が高くなり、香料が揮発しづらくなる結果、残香性が一層向上するという利点もある。
【００１５】
以上のことを考慮すると、本発明で用いられる乳化液において、香料の配合量は、その下限値を好ましくは０．１質量％以上とし、更に好ましくは０．２質量％以上、一層好ましくは０．３質量％以上とする。上限値は好ましくは２質量％以下とし、更に好ましくは１．７質量％以下、一層好ましくは１．５質量％以下とする。アニオン性ポリマーの配合量は、その下限値を好ましくは０．０１質量％以上とし、更に好ましくは０．０３質量％以上、一層好ましくは０．０５質量％以上とする。上限値は好ましくは２質量％以下とし、更に好ましくは１．５質量％以下、一層好ましくは１．０質量％以下とする。
【００１６】
なお、香料は一般にオイルに溶解した状態で取り扱いがなされていることは上述のとおりであるところ、上述した香料の配合量とは、香料がオイルに溶解した溶液の状態での量ではなく、香料そのものの量のことを指す。
【００１７】
香料としては、洗浄剤の技術分野においてこれまで用いられてきたものと同様のものを用いることができる。そのような香料としては、例えば「香料と調香の基礎知識」（中島基貴著、産業図書、１９９５年発行）に記載されているような香料を使用することができる。本発明のウエットシートが硬質表面用のものであることを考慮すると、該ウエットシートに含浸されている乳化液に配合される香料は、硬質表面を損傷しにくいものであることが好ましい。
【００１８】
硬質表面を損傷しにくい香料としては、例えばゲラニオール、リナロール、シトロネロール、ネロール、ヒドロキシシトロネロール、テトラヒドロゲラニオール、ターピネオール、シス−３−ヘキセノール、フェニルエチルアルコール、ベンジルアルコール、リモネンなどが挙げられる。
【００１９】
また、上述した香料に加えて、又はそれに代えて、前記乳化液に配合される香料として揮発性の低いものを用いると、残香性が一層向上するので好ましい。例えば、γ−ウンデカラクトン、１−（２，６，６−トリメチル−１，３−シクロヘキサジエン−１−イル）−２−ブテン−１−オン、７−アセチル−１，２，３，４，５，６，７，８−オクタヒドロ−１，１，６，７−テトラメチルナフタレン、セドリルメチルケトン、３，７−ジメチル−７−メトキシオクタン−２−オール、ドデカヒドロ−３ａ，６，６，９ａ−テトラメチルナフト［２，１−ｂ］フランなどが挙げられる。
【００２０】
上述したアニオン性ポリマーとは、高分子鎖中にアニオン性基を有している高分子化合物のことである。アニオン性ポリマーは、イオン性基としてアニオン性基のみを有していてもよく、あるいはアニオン性基に加えてカチオン性基を有していてもよい。後者の場合には、アニオン性基の数がカチオン性基の数より勝っているものを用いる。カチオン性基はアニオン性基の効果を相殺してしまうため、アニオン性基の効果が十分に機能するためには、カチオン性基の数はできるだけ少ない方が好ましい。
【００２１】
アニオン性ポリマーに含まれているアニオン性基としては、例えばカルボキシル基、スルホン酸基、硫酸基などが挙げられる。これらの基は１種を単独で、又は２種以上を組み合わせて用いることができる。
【００２２】
アニオン性ポリマーは水溶性のものである。アニオン性ポリマーは、これが水溶性を示す範囲での分子量を有する。
【００２３】
アニオン性ポリマーは、アニオン性基を有する重合性単量体の重合体、アニオン性基を有する重合性単量体を２種以上用いた共重合体、又はアニオン性基を有する重合性単量体とアニオン性基を有さない重合性単量体との共重合体であり得る。そのような重合性単量体としては、アニオン性基を有するビニル系重合性単量体が挙げられる。具体的には、例えばアクリル酸、メタクリル酸、などが挙げられる。アニオン性ポリマーは、これを０．２質量％含有し、水酸化ナトリウムでｐＨ７．０に調整した水溶液を、２０℃にてブルックフィールド型粘度計（ローターＮｏ．４、回転数１２ｒｐｍ）で測定した粘度が、５００ｍＰａ・ｓ以上であることが好ましく、１０００ｍＰａ・ｓ以上であることが更に好ましく、１５００ｍＰａ・ｓ以上であることが一層好ましい。粘度の上限値は、５０，０００ｍＰａ・ｓ以下であることが好ましく、４０，０００ｍＰａ・ｓ以下であることが更に好ましい。
【００２４】
特にアニオン性ポリマーとして、繰り返し単位としてアクリル酸若しくはメタクリル酸又はそれらの塩若しくはそれらのアルキルエステルを含むものをことが、香料を首尾よく乳化させることができる点、及び洗浄剤を所望の程度に増粘させられる点から好ましい。この効果を一層顕著なものとする観点から、実質的な構成単量体としてアクリル酸又はその塩、及びメタクリル酸アルキルエステルのみを含むものが好ましく、その上でアクリル酸又はその塩１００質量部に対して、０．０１質量部以上の、エチレン性不飽和基を少なくとも２個有する化合物を架橋剤として使用して得られる架橋型アクリル酸／メタクリル酸アルキルエステルコポリマーが好ましい。そのような共重合体の例としては、例えばカーボポールＥＴＤ−２０２０、カーボポール１３４２、カーボポール１３８２、ペムレンＴＲ−１、ペムレンＴＲ−２（以上、Ｌｕｂｒｕｚｏｌ  Ａｄｖａｎｃｅｄ  Ｍａｔｅｒｉａｌ，Ｉｎｃ．製）等が挙げられる。
【００２５】
以上のとおり、水を媒体として用い、油性の物質である香料、及び乳化作用を有する水溶性のアニオン性ポリマーを配合すると、これらの成分の作用によって乳化液が得られる。この乳化液は、水中油型のものであり得るか、又は油中水型のものであり得る。硬質表面を洗浄した後の、該硬質表面の仕上がり感の良好さの点からは、該乳化液は水中油型のものであることが好ましい。この乳化液を後述する基材シートに含浸させることで、本発明のウエットシートが得られる。乳化液は、ウエットシートに含浸させた状態において、香料の分散状態が維持されていれば、水中油型の乳化液となっていなくてもよい。
【００２６】
アニオン性ポリマーが配合されている前記乳化液は、該アニオン性ポリマーの作用によって増粘されている。これによって、該乳化液に配合されている香料の揮発を起こりにくくして残香性が向上し、また該乳化液の液だれ等が効果的に防止される。また、増粘されていることで、ウエットシートから乳化液を硬質表面に対し徐々に放出し、硬質表面の広い面積に対し継続して香料を含有する乳化液を付与することができる。これらの効果を一層顕著なものとする観点から、前記乳化液の粘度は２５℃において、その下限値が２０ｍＰａ・ｓ以上であることが好ましく、５０ｍＰａ・ｓ以上であることが更に好ましく、１００ｍＰａ・ｓ以上であることが一層好ましい。粘度の上限値は、３００，０００Ｐａ・ｓ以下であることが好ましく、１００，０００ｍＰａ・ｓ以下であることが更に好ましく、１０，０００ｍＰａ・ｓ以下であることが一層好ましい。前記乳化液の粘度は、２５℃にてブルックフィールド型粘度計を用いて測定される。使用ローター及び回転数は、水性洗浄剤の粘度に応じて適宜変更する。本明細書の実施例で用いたローター及び回転数は、後述する実施例の項に記載してある。
【００２７】
前記乳化液のｐＨは２５℃において、その下限値が７．０であることが好ましく、７．５であることが更に好ましい。ｐＨの上限値は、１０．０であることが好ましく、９．５であることが更に好ましい。
【００２８】
前記乳化液には、これまでに説明してきた成分に加えて、該乳化液の各種機能を更に高め得る成分を配合してもよい。そのような成分としては、例えば溶剤、色素、防腐剤、除菌剤、キレート剤、アルカリ剤などが挙げられる。
【００２９】
前記溶剤は水溶性であることが好ましい。水溶性溶剤としては、例えば一価アルコール、多価アルコール及びその誘導体から選ばれる１種以上のものが好適である。特に仕上がり性の点から蒸気圧２６７Ｐａ（２ｍｍＨｇ）以上のものが好ましい。例えば、エタノール、イソプロピルアルコール、プロパノール、エチレングリコールモノメチルエーテル、プロピレングリコールモノメチルエーテル等が好ましい。溶剤は、乳化液中に、０．１〜３０質量％、特に０．５〜１０質量％含有されることが好ましい。
【００３０】
前記除菌剤としては、例えば過酸化水素、次亜塩素酸、次亜塩素酸ナトリウム、第四級アンモニウム塩、安息香酸ナトリウム、パラオキシ安息香酸ナトリウム、ポリリジンのような天然除菌剤等が挙げられる。特に第四級アンモニウム塩、ポリリジン等の天然除菌剤が配合安定性及び除菌性能の点から好ましく用いられる。除菌剤は、乳化液中に、０．００５〜２質量％、特に０．０１〜１質量％含有されることが好ましい。
【００３１】
前記アルカリ剤としては、例えば水酸化ナトリウム等の水酸化物、炭酸ナトリウム等の炭酸塩、硫酸水素ナトリウム等のアルカリ性の硫酸塩、第一リン酸ナトリウム等のリン酸塩、酢酸ナトリウム、コハク酸ナトリウム等の有機アルカリ金属塩、アンモニア、モノ、ジ又はトリエタノールアミン等のアルカノールアミン、２−アミノ−２−メチル−１−プロパノール等のβ−アミノアルカノール並びにモルホリン等が挙げられる。特に感触とｐＨの緩衝性の点でモノ、ジ又はトリエタノールアミン等のアルカノールアミン、２−アミノ−２−メチル−１−プロパノール等のβ−アミノアルカノール並びにモルホリンが好ましい。アルカリ剤は、乳化液中に、０．０１〜１質量％、特に０．０５〜０．５質量％含有されることが、洗浄性及び感触の面で好ましい。
【００３２】
前記乳化液を含浸させるために用いられる基材シートとしては、各種の不織布、織布、編み物地、紙若しくはスポンジ等の柔軟性多孔質体、又はこれらの複合材若しくはこれらとフィルム等との複合材などが挙げられる。特に、基材シートが繊維材料から構成される場合に、それを構成する繊維としてポリエステル、ポリプロピレン、ポリエチレン、アクリル等の合成繊維を２０％以上用いると、本発明のウエットシートによって硬質表面を拭いたときの前記乳化液の放出性が良好になる点から好ましい。同様の理由によって、太さの下限値が好ましくは０．５ｄｔｅｘ以上、更に好ましくは１．０ｄｔｅｘ以上であり、上限値が好ましくは１２ｄｔｅｘ以下、更に好ましくは６．０ｄｔｅｘ以下である繊維を用いることも有利である。繊度が５ｄｔｅｘ以下の繊維を５０質量％以上、より好ましくは繊度が３．５ｄｔｅｘ以下の繊維を７０質量％以上含むことも有利である。
【００３３】
好ましく用いられる基材シートの一例としては、本出願人の先の出願に係る特開２００７−１５４３５９号公報に記載の嵩高シートが挙げられる。この嵩高シートは、繊維ウエブを水流交絡させて形成された繊維集合体を具備している。この繊維集合体は、繊維密度が大きくかつ厚みの小さい第１区域と、第１区域よりも繊維密度が小さくかつ第１区域よりも厚みの大きい第２区域とを有しているものである。第２区域は、閉じた形状の第１区域によって取り囲まれている。そして第２区域が複数の凸部及び凹部を有している。繊維集合体内にはスクリム材料が配置されていてもよい。スクリム材料は、繊維集合体を構成する繊維と交絡していることが好ましい。
【００３４】
基材シートに含浸される前記乳化液の割合（以下、この割合を含浸率という。）は、基材シートの質量に対して、下限値が１００質量％以上であることが好ましく、２００質量％以上であることが更に好ましい。含浸率の上限値は、１０００質量％以下であることが好ましく、８００質量％以下であることが更に好ましい。含浸率をこの範囲に調整することで、基材シートに含浸された前記乳化液を効率よく硬質表面に放出することができる。また、拭き操作の初期に大量の前記乳化液が一度に放出されることを防止しつつ、多量に含浸された該乳化液によって広い面積の拭き操作を行うことができる。含浸率の調整は、例えば乾燥した基材シートに所定量の乳化液を噴霧すること等によって達成される。
【００３５】
本発明のウエットシートは、先に述べたとおり硬質表面を清浄にするために用いられるものである。硬質表面の例としては、フローリング、天井、住居内外の壁、浴室内の壁／タイル／床／ドア／浴槽／洗面器等の浴室用備品、台所の壁／床／流し周り／レンジ周り／換気扇、食器棚、箪笥、テーブル、机、椅子、本棚、鏡等の家具、テレビ、パソコン、ステレオ、エアコン、洗濯機、乾燥機、照明器具等の電化製品、住居の窓、ドア、家具の戸、自動車のウィンドウ等に使用されているガラス、網戸、トイレの床、壁、ドア、便器、便座、自動車、自転車、オートバイ等の塗装表面、プラスティック製表面などが挙げられる。これらの硬質表面を本発明のウエットシートで拭くことによって、硬質表面に前記乳化液が残留し、該乳化液に含まれる香料が徐々に揮発することで長期間にわたって芳香が持続する。また、前記乳化液は好ましくは水を媒体とするものなので、本発明のウエットシートで硬質表面を拭くことによって硬質表面に存する汚れが除去されて、硬質表面が清浄になる。
【００３６】
本発明のウエットシートによる硬質表面の清浄作用を一層顕著なものとする観点から、前記乳化液中に界面活性剤を配合してもよい。界面活性剤としては、陽イオン界面活性剤、陰イオン界面活性剤、非イオン界面活性剤及び両性界面活性剤を用いることができる。界面活性剤は、１種を単独で又は２種以上を組み合わせて用いることができる。これらの界面活性剤のうち、特に皮脂汚れ洗浄性の向上と香料成分の安定配合の点から、両性界面活性剤を用いることが好ましい。両性界面活性剤としては、例えばアルキルジメチルアミノ酢酸ベタイン、アルキルジメチルアミンオキサイド、アルキルカルボキシメチルヒドロキシエチルイミダゾリニウムベタイン及びアルキルアミドプロピルベタインなどが挙げられる。これらのうち、特に良好な洗浄性と良好な仕上がり性の点から、アルキルジメチルアミンオキサイドを用いることが好ましく、特に炭素数８〜２４のアルキル基を有するアルキルジメチルアミンオキサイドを用いることが好ましい。ここで言う「仕上がり性」とは、本発明のウエットシートによって硬質表面を清拭した後の該硬質表面にべたつき感が生じないこと、及び該硬質表面に拭き筋が残りにくいという意味である。
【００３７】
界面活性剤は上述したアニオン性ポリマーと併用されるので、前記乳化液においては、香料の配合量が高いにもかかわらず該界面活性剤の配合量を過度に高くする必要がない。具体的には、界面活性剤の配合量は、その下限値を好ましくは０．０１質量％とし、更に好ましくは０．０３質量％、一層好ましくは０．０５質量％とする。上限値は好ましくは５質量％とし、更に好ましくは３．０質量％、一層好ましくは１．０質量％とする。
【００３８】
本発明のウエットシートを用いる場合には、該ウエットシートを直接手で持って拭き操作を行ってもよく、あるいはウエットシートを清掃道具に取り付けて、該清掃道具を操作することで拭き操作を行ってもよい、そのような清掃道具としては、平坦な取り付け面を有するヘッド部と、棒状の柄部と、該ヘッド部及び該柄部とを連結する連結部を備えたものが挙げられる。
【００３９】
前記のいずれの使用態様であっても、拭き操作後の硬質表面を水等で洗い流す操作は行わない。したがって拭き操作後は、硬質表面に残留付着した前記乳化液が自然乾燥し、不揮発成分が硬質表面に残留する。
【００４０】
前述した本発明の実施形態に関し、更に以下の付記（ウエットシート）を開示する。
【００４１】
＜１＞乳化作用を有する水溶性のアニオン性ポリマー及び香料を含有する乳化液が含浸されてなる硬質表面用ウエットシートであって、前記ウエットシートは、該ウエットシートによって硬質表面を拭くことで、該ウエットシートから前記乳化液を該硬質表面に放出させた後、該硬質表面を洗い流さず、該乳化液が該硬質表面に残留するように用いられるものである硬質表面用ウエットシート。
【００４２】
＜２＞前記アニオン性ポリマーは、繰り返し単位としてアクリル酸若しくはメタクリル酸又はそれらの塩若しくはそれらのアルキルエステルを含むものである前記＜１＞に記載の硬質表面用ウエットシート。
＜３＞前記乳化液は、前記アニオン性ポリマーを０．０１質量％以上２質量％以下含有し、前記香料を０．１質量％以上２質量％以下含有する前記＜１＞又は＜２＞に記載の硬質表面用ウエットシート。
＜４＞含浸される前記乳化液は水中油型である前記＜１＞ないし＜３＞のいずれか１に記載の硬質表面用ウエットシート。
＜５＞含浸される前記乳化液の割合は、基材シートの質量に対して好ましくは１００質量％以上、更に好ましくは２００質量％以上、好ましくは１０００質量％以下、更に好ましくは８００質量％以下である前記＜１＞ないし＜４＞のいずれか１に記載の硬質表面用ウエットシート。
【００４３】
＜６＞２５℃における粘度が好ましくは２０ｍＰａ・ｓ以上、更に好ましくは５０ｍＰａ・ｓ以上、一層好ましくは１００ｍＰａ・ｓ以上であり、好ましくは３００，０００ｍＰａ・ｓ以下、更に好ましくは１００，０００ｍＰａ・ｓ以下、一層好ましくは１０，０００ｍＰａ・ｓ以下である前記＜１＞ないし＜５＞のいずれか１に記載の硬質表面用ウエットシート。
＜７＞前記アニオン性ポリマーを、好ましくは０．０１質量％以上とし、更に好ましくは０．０３質量％以上、一層好ましくは０．０５質量％以上、好ましくは２質量％以下、更に好ましくは１．５質量％以下、一層好ましくは１．０質量％以下含有する前記＜１＞ないし＜６＞のいずれか１に記載の硬質表面用ウエットシート。
＜８＞前記香料を、好ましくは０．１質量％以上、更に好ましくは０．２質量％以上、特に好ましくは０．３質量％以上、そして好ましくは２質量％以下、更に１．７質量％以下、特に好ましくは１．５質量％以下含有する前記＜１＞ないし＜７＞のいずれか１に記載の硬質表面用ウエットシート。
【００４４】
＜９＞前記香料が、ゲラニオール、リナロール、シトロネロール、ネロール、ヒドロキシシトロネロール、テトラヒドロゲラニオール、ターピネオール、シス−３−ヘキセノール、フェニルエチルアルコール、ベンジルアルコール、リモネンのいずれかを含む前記＜１＞ないし＜８＞のいずれか１に記載の硬質表面用ウエットシート。
＜１０＞前記香料が、γ−ウンデカラクトン、１−（２，６，６−トリメチル−１，３−シクロヘキサジエン−１−イル）−２−ブテン−１−オン、７−アセチル−１，２，３，４，５，６，７，８−オクタヒドロ−１，１，６，７−テトラメチルナフタレン、セドリルメチルケトン、３，７−ジメチル−７−メトキシオクタン−２−オール、ドデカヒドロ−３ａ，６，６，９ａ−テトラメチルナフト［２，１−ｂ］フランのいずれかを含む前記＜１＞ないし＜９＞のいずれか１に記載の硬質表面用ウエットシート。
【００４５】
＜１１＞界面活性剤を好ましくは０．０１質量％以上、更に好ましくは０．０３質量％以上、一層好ましくは０．０５質量％以上含有し、好ましくは５質量％以下、更に好ましくは３．０質量％以下、一層好ましくは１．０質量％以下含有する前記＜１＞ないし＜１０＞のいずれか１に記載の硬質表面用ウエットシート。
＜１２＞前記界面活性剤として、両性界面活性剤を用いる前記＜１１＞に記載の硬質表面用ウエットシート。
＜１３＞前記アニオン性ポリマーは、構成単量体としてアクリル酸又はその塩、及びメタクリル酸アルキルエステルのみを含み、その上でアクリル酸又はその塩１００質量部に対して、０．０１質量部以上の、エチレン性不飽和基を少なくとも２個有する化合物を架橋剤として使用して得られる架橋型アクリル酸／メタクリル酸アルキルエステルコポリマーである前記＜１＞ないし＜１２＞のいずれか１に記載の硬質表面用ウエットシート。
【００４６】
＜１４＞前記アニオン性ポリマーは、該アニオン性ポリマーを０．２質量％含有し水酸化ナトリウムでｐＨ７．０に調整した水溶液の２０℃における粘度が、好ましくは５００ｍＰａ・ｓ以上、更に好ましくは１０００ｍＰａ・ｓ以上、一層好ましくは１５００ｍＰａ・ｓ以上であり、好ましくは５０，０００ｍＰａ・ｓ以下、更に好ましくは４０，０００ｍＰａ・ｓ以下である前記＜１＞ないし＜１３＞のいずれか１に記載の硬質表面用ウエットシート。
＜１５＞ウエットシートの基材シートは、合成繊維を２０％以上含む前記＜１＞ないし＜１４＞のいずれか１に記載の硬質表面用ウエットシート。
【実施例】
【００４７】
以下、実施例により本発明を更に詳細に説明する。しかしながら本発明の範囲は、かかる実施例に制限されない。特に断らない限り、「％」は「質量％」を意味する。
【００４８】
〔実施例１〕
以下の表１に示す成分を混合して水中油型の乳化液からなる乳化液を調製した。この乳化液を基材シートに含浸させて硬質表面清掃用ウエットシートを得た。同表に示すアクリル酸・メタクリル酸アルキル重合体は、その水溶液の粘度（０．２％水溶液、２０℃、ｐＨ７．０）が２９７４４ｍＰａ・ｓであった。洗浄剤の含浸率は、基材シートの質量に対して３５０％とした。基材シートは以下の方法で製造した。
【００４９】
〔基材シートの製造〕
特開２００７−１５４３５９号公報の実施例１に記載の方法で基材シートを製造した。すなわち、特開２００７−１５４３５９号公報の図４に示す製造装置を用いて、同公報の図１に示す坪量３０ｇ／ｍ2の嵩高シートを製造した。用いた原料はポリエチレンテレフタレート繊維（繊維長４４ｍｍ）６０％、アクリル繊維（繊維長５１ｍｍ）２０％、及びレーヨン繊維（繊維長２５ｍｍ）２０％である。得られた基材シートは、繊維密度が大きくかつ厚みの小さい第１区域と、第１区域よりも繊維密度が小さくかつ第１区域よりも厚みの大きい第２区域とを有していた。第１区域及び第２区域の形状は同公報の図１に示すとおりであり、第１区域の面積率は４４％であり、第２区域の面積率は５６％であった。
【００５０】
〔比較例１〕
実施例１において香料の配合割合を表１に示す値とする以外は実施例１と同様にして洗浄剤を調製した。得られた洗浄剤を、実施例１と同様の基材シートに含浸させてウエットシートを得た。
【００５１】
〔評価〕
実施例及び比較例で得られた洗浄剤について、その粘度を測定した。測定は、２５℃で行った。測定に用いた粘度計は、ブルックフィールド型粘度計であり、使用ローターはＮｏ．２、回転数は６０ｒｐｍ又は６ｒｐｍとした。
また、実施例及び比較例で得られたウエットシートについて、該ウエットシートからの香料の放出のされやすさを以下の方法で評価した。また、該ウエットシートを用いて対象面を拭き操作した後の該対象面の香りの強さを以下の方法で評価した。それらの結果を以下の表１に示す。
【００５２】
〔ウエットシートからの乳化液中の香料の放出のされやすさ〕
実施例１で用いた洗浄剤について、分光光度計を用いて吸光特性を測定した。その結果、３２０ｎｍ及び２９０ｎｍの波長で吸光度のピークを有することが確認された。
次に、実施例１と比較例１で得たウエットシートについて、２４時間密閉容器内に保管した後、マングルを用いて洗浄剤を基材シートから搾り出し、分光光度計を用いて３２０ｎｍ及び２９０ｎｍの吸光度をそれぞれ測定した。この値を「洗浄剤吸光度」という。
次に、同様にして香料を配合しない以外は表１に示す成分と同じ成分を混合してなる洗浄剤を調製し、基材シートに３５０％含浸させた後搾り出した液の３２０ｎｍ及び２９０ｎｍの吸光度を測定した。この値を「対照吸光度」という。
洗浄剤吸光度から対照吸光度を差し引いた値（この値を「放出洗浄剤吸光度」という。）を求め、この値をウエットシートからの香料の放出のされやすさの尺度とする。放出洗浄剤吸光度は、その数値が高いほど香料が多量に放出されたことを意味する。
【００５３】
〔対象面の香りの強さ〕
清掃対象面を清拭した後の該清掃対象面の香りの強さを経時的に官能評価した。具体的には、ウエットシートを、花王（株）製の清掃道具であるクイックルワイパー（登録商標）のヘッド部に取り付け、２０℃、６５％ＲＨの部屋において、３０ｃｍ×３０ｃｍ四方のフローリング材（Ｐａｎａｓｏｎｉｃ電工製  ウッディＡ）上を３往復清拭した。清拭後にフローリングは水等で洗い流さなかった。清拭直後、１０分後、２０分後、３０分後、６０分後、１２０分後において、フローリングから生じる香りの強さを４名のパネラーに評価させた。パネラーとフローリング材の距離は３０ｃｍとした。評価後、次の評価までの間は、パネラーは部屋の外に出ていた。４名のパネラーの評価の平均をもって、評価結果とした。評価の平均は下記の数値基準から求めた。結果を表１に示す。
６：強く匂う
５：はっきりと匂う
４：匂いが楽にわかる
３：ほのかに匂う
２：ごくかすかに匂う
１：匂いを感じない
【００５４】
【表１】
0005988717.tif 000002
【００５５】
表１に示す結果から明らかなとおり、実施例で得られたウエットシート（本発明品）は、比較例１のウエットシートに比べて、シートからの香料の放出性が良好であることが判る。また実施例で得られたウエットシートを用いてフローリングを拭くと、該フローリングから生じる香りが長時間にわたって知覚されることが判る。